【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
各ピクチャを分割したブロック単位で動画像を符号化する動画像符号化装置であって、
符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出部と、
処理機能の集合を示すプロファイルおよびデコード処理能力を示すレベルの少なくとも一方に応じて前記インター予測情報の候補の候補数を設定する候補数設定部と、
候補数の設定された前記インター予測情報の候補から１つのインター予測情報の候補を選択して、その選択したインター予測情報の候補により前記符号化対象の予測ブロックのインター予測を行う予測部と
を備えることを特徴とする動画像符号化装置。
【請求項２】
各ピクチャを分割したブロック単位で動画像を符号化する動画像符号化方法であって、
符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記符号化対象の予測ブロックのインター予測を行う予測ステップと
を有することを特徴とする動画像符号化方法。
【請求項３】
各ピクチャを分割したブロック単位で動画像を符号化する動画像符号化プログラムであって、
符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記符号化対象の予測ブロックのインター予測を行う予測ステップと
をコンピュータに実行させることを特徴とする動画像符号化プログラム。
【請求項４】
各ピクチャを分割したブロック単位で動画像を符号化する動画像符号化方法により符号化された符号化ビット列をパケット化して符号化データを得るパケット処理部と、
パケット化された前記符号化データを送信する送信部と
を備え、
前記動画像符号化方法は、
符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記符号化対象の予測ブロックのインター予測を行う予測ステップと
を有することを特徴とする送信装置。
【請求項５】
各ピクチャを分割したブロック単位で動画像を符号化する動画像符号化方法により符号化された符号化ビット列をパケット化して符号化データを得るパケット処理ステップと、
パケット化された前記符号化データを送信する送信ステップと
を備え、
前記動画像符号化方法は、
符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記符号化対象の予測ブロックのインター予測を行う予測ステップと
を有することを特徴とする送信方法。
【請求項６】
各ピクチャを分割したブロック単位で動画像を符号化する動画像符号化方法により符号化された符号化ビット列をパケット化して符号化データを得るパケット処理ステップと、
パケット化された前記符号化データを送信する送信ステップと
をコンピュータに実行させ、
前記動画像符号化方法は、
符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、
処理機能の集合を示すプロファイルおよびデコード処理能力を示すレベルの少なくとも一方に応じて前記インター予測情報の候補の候補数を設定する候補数設定ステップと、
候補数の設定された前記インター予測情報の候補から１つのインター予測情報の候補を選択して、その選択したインター予測情報の候補により前記符号化対象の予測ブロックのインター予測を行う予測ステップと
を有することを特徴とする送信プログラム。
【手続補正２】
【補正対象書類名】明細書
【補正対象項目名】００１６
【補正方法】変更
【補正の内容】
【００１６】
各ピクチャを分割したブロック単位で動画像を符号化する動画像符号化装置であって、符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出部と、処理機能の集合を示すプロファイルおよびデコード処理能力を示すレベルの少なくとも一方に応じて前記インター予測情報の候補の候補数を設定する候補数設定部と、候補数の設定された前記インター予測情報の候補から１つのインター予測情報の候補を選択して、その選択したインター予測情報の候補により前記符号化対象の予測ブロックのインター予測を行う予測部とを備えることを特徴とする動画像符号化装置を提供する。
各ピクチャを分割したブロック単位で動画像を符号化する動画像符号化方法であって、符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記符号化対象の予測ブロックのインター予測を行う予測ステップとを有することを特徴とする動画像符号化方法を提供する。
各ピクチャを分割したブロック単位で動画像を符号化する動画像符号化プログラムであって、符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記符号化対象の予測ブロックのインター予測を行う予測ステップとをコンピュータに実行させることを特徴とする動画像符号化プログラムを提供する。
各ピクチャを分割したブロック単位で動画像を符号化する動画像符号化方法により符号化された符号化ビット列をパケット化して符号化データを得るパケット処理部と、パケット化された前記符号化データを送信する送信部とを備え、前記動画像符号化方法は、符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記符号化対象の予測ブロックのインター予測を行う予測ステップとを有することを特徴とする送信装置を提供する。
各ピクチャを分割したブロック単位で動画像を符号化する動画像符号化方法により符号化された符号化ビット列をパケット化して符号化データを得るパケット処理ステップと、パケット化された前記符号化データを送信する送信ステップとを備え、前記動画像符号化方法は、符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記符号化対象の予測ブロックのインター予測を行う予測ステップとを有することを特徴とする送信方法を提供する。
各ピクチャを分割したブロック単位で動画像を符号化する動画像符号化方法により符号化された符号化ビット列をパケット化して符号化データを得るパケット処理ステップと、パケット化された前記符号化データを送信する送信ステップとをコンピュータに実行させ、前記動画像符号化方法は、符号化対象の予測ブロックに隣接する予測ブロック、または符号化対象の予測ブロックと異なる符号化済みのピクチャにおける前記符号化対象の予測ブロックと同一位置あるいはその付近に存在する予測ブロックのインター予測情報から、インター予測情報の候補を導出するインター予測情報導出ステップと、処理機能の集合を示すプロファイルおよびデコード処理能力を示すレベルの少なくとも一方に応じて前記インター予測情報の候補の候補数を設定する候補数設定ステップと、候補数の設定された前記インター予測情報の候補から１つのインター予測情報の候補を選択して、その選択したインター予測情報の候補により前記符号化対象の予測ブロックのインター予測を行う予測ステップとを有することを特徴とする送信プログラムを提供する。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】